(57)【要約】【課題】バースクリーン上に残留した夾雑物を確実に除去し得るスクリーン装置を提供する。【解決手段】横方向に並設された複数のバー２Ａからなり上方から投入される処理物Ｍを受けるバースクリーン２と、バースクリーン２を振動させる振動発生装置と、バースクリーン２の上方に配される無端チェーン４と、無端チェーン４に取り付けられ、バースクリーン２上の夾雑物をバースクリーン２の上方側から掻き寄せるレーキ２５およびスクレーパー２６と、を備え、前記振動発生装置は、レーキ２５およびスクレーパー２６がバースクリーン２から離脱した位置にあるときに作動してバースクリーン２を振動させる。【選択図】図１
2015048585.tif 000002
【特許請求の範囲】
【請求項１】
横方向に並設された複数のバーからなり上方から投入される処理物を受けるバースクリーンと、
前記バースクリーンを振動させる振動発生装置と、
前記バースクリーンの上方に配される無端チェーンと、
前記無端チェーンに取り付けられ、前記バースクリーン上の処理物をバースクリーンの上方側から掻き取る掻き取り部材と、
を備え、
前記振動発生装置は、前記掻き取り部材が前記バースクリーンから離脱した位置にあるときに作動して前記バースクリーンを振動させることを特徴とするスクリーン装置。
【請求項２】
前記掻き取り部材は、
前記バースクリーンの目開き部に入る櫛歯が形成されたレーキと、
前記バースクリーンの目開き部に入ることなくバースクリーンの上面に摺接するスクレーパーと、
から構成されていることを特徴とする請求項１に記載のスクリーン装置。
【請求項３】
前記バースクリーンの上方に配され、バースクリーン上の処理物に放水するための放水装置が設けられていることを特徴とする請求項１または請求項２に記載のスクリーン装置。
【請求項４】
横方向に並設された複数のバーからなり上方から投入される処理物を受けるバースクリーンと、
前記バースクリーンを振動させる振動発生装置と、
前記バースクリーンの上方に配される無端チェーンと、
前記無端チェーンに取り付けられ、前記バースクリーン上の処理物をバースクリーンの上方側から掻き取る掻き取り部材と、
を備えたスクリーン装置による処理物の処理方法であって、
（１）前記掻き取り部材が前記バースクリーンから離脱した位置にあるときに、処理物を前記バースクリーン上に投入するとともに前記振動発生装置により前記バースクリーンを振動させて処理物を篩い分ける行程、
（２）前記バースクリーンの振動を停止させた後、前記無端チェーンを駆動させて前記掻き取り部材により前記バースクリーン上に残留した処理物を掻き取る行程、
をその順序で行うことを特徴とするスクリーン装置による処理物の処理方法。
【発明の詳細な説明】
【技術分野】
【０００１】
本発明は、スクリーン装置およびこれを用いた処理物の処理方法に関する。
【背景技術】
【０００２】
河川湖沼や下水道施設において浚渫された土砂・汚泥は、ダンプトラックやバキュームダンパー車によって処理場に運ばれ、洗砂施設で洗浄されて腐敗有機物が洗い流された後、外部の埋立処分地などに搬出される。一般に浚渫土砂などには多くの夾雑物が含まれているため、前記洗砂施設に投入する前の段階において夾雑物を除去する処理が行われている。
【０００３】
夾雑物を除去する方法としては、従来より、流水によって土砂を洗い流しつつ人力によって夾雑物を取り除く方法が多く用いられている。しかしながら、この方法は不衛生な現場環境での作業になることもあって作業者にとってはかなりの労力負担となる。
この問題に対し、特許文献１には、沈砂とし渣の分離を目的として、スクリーンを備えた処理装置が記載されている。
【先行技術文献】
【特許文献】
【０００４】
【特許文献１】特開２０１１−２３５２７５号公報
【発明の概要】
【発明が解決しようとする課題】
【０００５】
特許文献１に記載の技術は、スクリーン上に残留したし渣（夾雑物）を除去するにあたり、スクリーンを下方に倒すことによりし渣をスクリーン上から自重落下させてコンテナに回収させる構造である。しかしながら、夾雑物としては紐状のものなどスクリーンに絡まりやすいものも多く含まれているため、特許文献１に記載された自重落下によりし渣を除去する方法では、一部のし渣がスクリーンに残ったままとなり、これが次第に堆積してスクリーンの目詰まりを起こすおそれがある。
【０００６】
本発明はこのような問題を解決するために創案されたものであり、スクリーン上に残留した処理物（夾雑物）を確実に除去し得るスクリーン装置を提供することを目的とする。
【課題を解決するための手段】
【０００７】
前記課題を解決するために本発明は、横方向に並設された複数のバーからなり上方から投入される処理物を受けるバースクリーンと、前記バースクリーンを振動させる振動発生装置と、前記バースクリーンの上方に配される無端チェーンと、前記無端チェーンに取り付けられ、前記バースクリーン上の処理物をバースクリーンの上方側から掻き取る掻き取り部材と、を備え、前記振動発生装置は、前記掻き取り部材が前記バースクリーンから離脱した位置にあるときに作動して前記バースクリーンを振動させることを特徴とする。
【０００８】
このスクリーン装置によれば、バースクリーン上に残留した処理物（夾雑物）を掻き取り部材によって強制的に掻き取るため、処理物（夾雑物）をバースクリーン上から確実に除去できる。そして、バースクリーンは、掻き取り部材がバースクリーンから離脱した位置にあるときに振動するため、バースクリーンの振動が掻き取り部材に伝播することがない。したがって、無端チェーンを含む掻き取り装置への振動の影響を無くすことができる。
【０００９】
また、本発明は、前記掻き取り部材は、前記バースクリーンの目開き部に入る櫛歯が形成されたレーキと、前記バースクリーンの目開き部に入ることなくバースクリーンの上面に摺接するスクレーパーと、から構成されていることを特徴とする。
【００１０】
このスクリーン装置によれば、レーキによって目開き部の目詰まりを防止できるとともに、スクレーパーによってバースクリーン上の処理物を掃いて払い落とすことができる。
【００１１】
また、本発明は、前記バースクリーンの上方に配され、バースクリーン上の処理物に放水するための放水装置が設けられていることを特徴とする。
【００１２】
このスクリーン装置によれば、バースクリーン上の処理物を効果的に崩すことができ、処理中における処理物からの砂塵等の飛散を防止できる。
【００１３】
また、本発明は、横方向に並設された複数のバーからなり上方から投入される処理物を受けるバースクリーンと、前記バースクリーンを振動させる振動発生装置と、前記バースクリーンの上方に配される無端チェーンと、前記無端チェーンに取り付けられ、前記バースクリーン上の処理物をバースクリーンの上方側から掻き取る掻き取り部材と、を備えたスクリーン装置による処理物の処理方法であって、（１）前記掻き取り部材が前記バースクリーンから離脱した位置にあるときに、処理物を前記バースクリーン上に投入するとともに前記振動発生装置により前記バースクリーンを振動させて処理物を篩い分ける行程、（２）前記バースクリーンの振動を停止させた後、前記無端チェーンを駆動させて前記掻き取り部材により前記バースクリーン上に残留した処理物を掻き取る行程、をその順序で行うことを特徴とする。
【００１４】
このスクリーン装置による処理物の処理方法によれば、バースクリーン上に残留した処理物（夾雑物）を掻き取り部材によって強制的に掻き取るため、処理物（夾雑物）をバースクリーン上から確実に除去できる。そして、掻き取り部材がバースクリーンから離脱した位置にあるときにバースクリーンが振動するため、バースクリーンの振動が掻き取り部材に伝播することがない。したがって、無端チェーンを含む掻き取り装置への振動の影響を無くすことができる。
【発明の効果】
【００１５】
本発明によれば、バースクリーン上に残留した処理物（夾雑物）を掻き取り部材によって強制的に掻き取るため、処理物（夾雑物）をバースクリーン上から確実に除去できる。そして、バースクリーンの振動が掻き取り部材に伝播することがないため、掻き取り装置への振動の影響を無くすことができる。
【図面の簡単な説明】
【００１６】
【図１】本発明に係るスクリーン装置の側面説明図である。
【図２】本発明に係るスクリーン装置の平面説明図である。
【図３】本発明に係るスクリーン装置の正面説明図である。
【図４】レーキの説明図であり、（ａ），（ｂ）はそれぞれ側面説明図、正面説明図である。
【図５】スクレーパーの説明図であり、（ａ），（ｂ）はそれぞれ側面説明図、正面説明図である。
【図６】バースクリーンの断面説明図である。
【図７】バースクリーンの端部の平面説明図である。
【発明を実施するための形態】
【００１７】
図１ないし図３において、本発明に係るスクリーン装置１は、横方向に並設された複数のバー２Ａからなり上方から投入される処理物Ｍを受けるバースクリーン２と、バースクリーン２を振動させる振動発生装置３と、バースクリーン２の上方に配される無端チェーン４と、無端チェーン４に取り付けられ、バースクリーン２上の処理物Ｍをバースクリーン２の上方側から掻き取る掻き取り部材５とを備える。
【００１８】
処理物Ｍは港湾や湖沼、河川の浚渫土砂や下水系の汚砂、汚泥等であり、例えばシュータ６を介してバースクリーン２上に落下投入される。これらの土砂等には様々な夾雑物Ｇ（石、コンクリート片、金属屑、ガラス片、割れ陶器、プラスチック片、木片、布片、小動物や魚類の死骸等）が含まれており、スクリーン装置１はバースクリーン２によって処理物Ｍから夾雑物Ｇを除去処理する。
【００１９】
「バースクリーン２」
バースクリーン２は、水平状にした複数のバー２Ａを横方向に等間隔で並設した構造からなる。バー２Ａは長尺の板状鋼材等からなり、図６に示されるように板厚方向が横方向となるように配置される。本実施形態のバー２Ａはその上端周りの板厚が下部の板厚よりも大きく形成されている。これにより、バースクリーン２は、上部側においては目幅寸法の小さい細目の目開き部７Ａが形成され、下部側においては目幅寸法の大きい粗目の目開き部７Ｂが形成される。目開き部７Ｂの目幅寸法は概ね２５〜７５ｍｍの範囲である。
【００２０】
図１に示されるようにバー２Ａは概ね全長にわたり一定の高さ寸法Ｈ１を有しているが、中央寄りと両端寄りの計３箇所については下部が連結部８として下方に延設されることにより大きな高さ寸法Ｈ２となっている。各バー２Ａはそれぞれの連結部８が、バー２Ａと水平直交状に配された連結梁９Ａ〜９Ｃに溶接等により載置固定されることで一体に連結される。連結梁９Ａ〜９Ｃとしては角管材や丸管材等である。なお、バー２Ａの両端部の内で掻き取り部材５が入り込む側の端部を図７に示すように平面視して先細りとなる傾斜面２Ｂを有するように形成すれば、目開き部７Ａに対して後記するレーキ２５の櫛歯２４の入り込みがスムーズとなる。
【００２１】
「振動発生装置３」
前記連結梁９Ａ〜９Ｃの各両端は、図２，図３に示されるようにバースクリーン２の両側においてバースクリーン２に沿って延設されたフレーム１０に溶接等により固定されている。フレーム１０は例えば角管材等であり、本実施形態では角管材を２段重ねした構造としている。このフレーム１０の外側面には振動発生装置３としての振動モータ１１が取り付けられている。振幅方向は例えば上下方向、水平方向または斜め方向である。振動発生装置３としては、振動モータ１１に限られず、汎用の電動モータと振動発生機構（クランクシャフト機構等）とを組み合せた装置であってもよい。
【００２２】
図１および図３において、構造物の床Ｆに対する防振装置として、フレーム１０と床Ｆとの間にはコイルばね１２および防振ゴム１３が介設される。本実施形態では、床Ｆ上に複数の防振ゴム１３を介してＨ型鋼等からなる架台１４を配し、この架台１４とフレーム１０とを複数のコイルばね１２により連結している。
【００２３】
「無端チェーン４」
バースクリーン２の一端側の上方には、バースクリーン２の幅方向に沿って延出した連結軸１５により一体回転する左右一対の駆動スプロケット１６が配され、他端側の上方には、バースクリーン２の幅方向に沿って延出した連結軸１７により一体回転する左右一対の従動スプロケット１８が配されている。各駆動スプロケット１６と各従動スプロケット１８との間には、図１に示されるように側面視してバースクリーン２の上面に沿う直線軌道を有するように無端チェーン４がトラック状に掛け回されている。一方の駆動スプロケット１６寄りには同軸状に伝達スプロケット１９が軸着され、この伝達スプロケット１９と、減速機付きのモータ２０の出力軸に軸着された出力スプロケット２１との間に駆動チェーン２２が掛け回されている。モータ２０は床Ｆ上のモータ架台２３に載置されている。以上により、モータ２０の駆動により無端チェーン４は図１における時計回りに循環移動する。
【００２４】
「掻き取り部材５」
掻き取り部材５は、左右の無端チェーン４間に掛け渡されるように取り付けられる。本実施形態の掻き取り部材５は、図４に示すように、バースクリーン２の目開き部７Ａに入り込む櫛歯２４が形成されたレーキ２５と、図５に示すように、バースクリーン２の目開き部７Ａに入ることなくバースクリーン２の上面に摺接するスクレーパー２６とから構成されている。レーキ２５およびスクレーパー２６はそれぞれ２つずつ無端チェーン４に取り付けられている。また、レーキ２５とスクレーパー２６とは交互に配されている。
【００２５】
「レーキ２５」
図４において、レーキ２５は、バースクリーン２の幅方向に延設される溝型鋼からなる本体部２７と、複数の櫛歯２４と、櫛歯基板２８とを備えて構成される。複数の櫛歯２４は溶接等により櫛歯基板２８に固着されており、櫛歯基板２８はボルト２９およびナット３０により本体部２７のウェブに着脱自在に締結固定される。本体部２７はその一方のフランジが、アタッチメント３１を介してボルト３２およびナット３３により無端チェーン４に着脱自在に締結固定される。櫛歯２４は、目開き部７Ａ（図６）に沿って鉛直状に配された鋼板等の平板状部材であり、その下端周りはバー２Ａの高さ寸法Ｈ１の全てにわたり入り込むようになっている。
【００２６】
本体部２７の側面には側板３４が取り付けられており、この側板３４にはバースクリーン２の幅方向を回転軸方向とするガイドローラ３５が取り付けられている。レーキ２５は、このガイドローラ３５が構造物の壁体Ｗに取り付けられたガイド枠３６にガイドされることで、下側の直線軌道が確保される。上側の直線軌道についても図３に示すようにガイドローラ３５はガイド枠３７にガイドされるようになっている。
【００２７】
「スクレーパー２６」
図５に示すように、スクレーパー２６は、バースクリーン２の幅方向に延設される溝型鋼からなる本体部３８と、平板状のスクレーパー板３９と、取付基板４０とを備えて構成される。スクレーパー板３９は合成ゴム材等からなり、本体部３８のウェブと取付基板４０とに挟持されて皿ねじ４１およびナット４２により着脱自在に締結固定される。スクレーパー板３９の下端は本体部３８の下側のフランジよりも下方に延出し、バースクリーン２の上面に摺接する。その他の構造はレーキ２５と同様であり、本体部３８はその一方のフランジが、アタッチメント３１を介してボルト３２およびナット３３により無端チェーン４に着脱自在に締結固定される。本体部３８の側面にはガイドローラ３５が配され、スクレーパー２６は、ガイドローラ３５がガイド枠３６にガイドされることで、下側の直線軌道が確保される。
【００２８】
「放水装置４３」
図３に示すように、バースクリーン２の両側上方には、バースクリーン２上の処理物Ｍを崩すために放水する放水装置４３として、バースクリーン２に沿って放水管４４，４４が配されている。各放水管４４には長手方向に適宜な間隔を空けて複数の放水ノズル４５が形成されている。放水ノズル４５は、放水管４４に取り付けられるノズルユニットであってもよいし、放水管４４の管壁に穿設された単なる孔であってもよい。
【００２９】
「作用」
ダンプトラックやバキュームダンパー車等により運搬されてきた浚渫土砂等の処理物Ｍは、シュータ６からバースクリーン２上に落下投入される。スクリーン装置１の運転はたとえばバッチ式であり、処理物Ｍの１回当たりの投入量はたとえば最大１０トン程度である。処理物Ｍが落下投入されるとき、レーキ２５およびスクレーパー２６はいずれも、図１に示されるように、シュータ６からバースクリーン２までの投入経路空間に位置することなく、駆動スプロケット１６または従動スプロケット１８の近傍の退避位置にある。これにより、レーキ２５およびスクレーパー２６は落下投入される処理物Ｍに埋もれることがない。
【００３０】
処理物Ｍがバースクリーン２上に落下投入されると、振動モータ１１が駆動してバースクリーン２が振動する。レーキ２５およびスクレーパー２６は未だいずれも退避位置にあり、バースクリーン２から離脱した状態にある。そのため、バースクリーン２の振動がレーキ２５およびスクレーパー２６に伝播することがなく、無端チェーン４，駆動スプロケット１６，従動スプロケット１８等からなる掻き取り装置への振動の影響を無くすことができる。
【００３１】
バースクリーン２の振動により処理物Ｍは、細かい土砂等については目開き部７Ａ，７Ｂを通して下方に篩い落され、床Ｆの開口部４６を通して所定の処理部に排出される一方、形状の大きな夾雑物Ｇについてはバースクリーン２上に残留する。バースクリーン２は、下部側の目開き部７Ｂの方が上部側の目開き部７Ａよりも粗く形成されているので、土砂は目開き部７Ａを一旦通過すれば、目詰まりを起こすことなくスムーズに下方に落下していく。また、放水管４４から放水がなされ、処理物Ｍの塊が効果的に崩される。この放水の開始タイミングは、振動モータ１１の駆動とほぼ同時に行ってもよいし、振動モータ１１を停止してからでもよい。
【００３２】
次いで、所定時間が経過して振動モータ１１が停止した後、モータ２０が駆動してレーキ２５およびスクレーパー２６による掻き取りが行われる。なお、放水管４４からの放水は振動モータ１１の停止とともに止めてもよいし、掻き取り運転の間も続行させてもよい。レーキ２５は櫛歯２４が目開き部７Ａに入り込みながら、夾雑物Ｇをバースクリーン２の他端側に掻き取る。スクレーパー２６は、ゴム材からなるスクレーパー板３９がバースクリーン２の上面に摺接しつつ、夾雑物Ｇをバースクリーン２の他端側に掻き取る。掻き取られた夾雑物Ｇは、バースクリーン２の他端側に配されたコンテナ４７に排出される。掻き取りの運転時間は適宜に設定されるものであり、レーキ２５およびスクレーパー２６が循環移動して繰り返し掻き取ることにより、夾雑物Ｇはバースクリーン２から確実に除去され、図示しない貯留槽へ分離される。
【００３３】
以上のように、バースクリーン２と、バースクリーン２を振動させる振動発生装置３と、バースクリーン２の上方に配される無端チェーン４と、無端チェーン４に取り付けられ、バースクリーン２上の処理物Ｍ（夾雑物Ｇ）をバースクリーン２の上方側から掻き取る掻き取り部材５とを備え、振動発生装置３は、掻き取り部材５がバースクリーン２から離脱した位置にあるときに作動してバースクリーン２を振動させる構成とすれば、バースクリーン２上に残留した処理物Ｍ（夾雑物Ｇ）を掻き取り部材５によって強制的に掻き取るため、処理物Ｍ（夾雑物Ｇ）をバースクリーン２上から確実に除去できる。また、バースクリーン２の振動が掻き取り部材５に伝播することがないため、無端チェーン４を含む掻き取り装置への振動の影響を無くすことができる。
【００３４】
また、掻き取り部材５を、バースクリーン２の目開き部７Ａに入る櫛歯２４が形成されたレーキ２５と、バースクリーン２の目開き部７Ａに入ることなくバースクリーン２の上面に摺接するスクレーパー２６とから構成すれば、レーキ２５によって目開き部７Ａの目詰まりを防止できるとともに、スクレーパー２６によってバースクリーン２上の処理物を掃いて払い落とすことができ、バースクリーン２の上面を綺麗に拭き取ることができる。
【００３５】
さらに、バースクリーン２の上方に配され、バースクリーン２上の処理物Ｍに放水するための放水装置４３を設ければ、処理物Ｍの塊を効果的に崩すことができるため、掻き取り部材による掻き取り効率が上がり、さらに処理中における処理物Ｍからの砂塵の飛散を防止できる。
【００３６】
以上、本発明の好適な実施形態について説明した。本発明はその趣旨を逸脱しない範囲で、様々な設計変更が可能である。
【符号の説明】
【００３７】
１      スクリーン装置
２      バースクリーン
２Ａ    バー
３      振動発生装置
４      無端チェーン
５      掻き取り部材
６      シュータ
７Ａ    （上部側）目開き部
７Ｂ    （下部側）目開き部
１１      振動モータ
１６      駆動スプロケット
１８      従動スプロケット
２４      櫛歯
２５      レーキ
２６      スクレーパー
４３      放水装置
Ｇ      夾雑物
Ｍ      処理物
【図１】
2015048585.tif 000003
【図２】
2015048585.tif 000004
【図３】
2015048585.tif 000005
【図４】
2015048585.tif 000006
【図５】
2015048585.tif 000007
【図６】
2015048585.tif 000008
【図７】
2015048585.tif 000009